(57)【要約】  周囲にネジ山（２０）が形成された略筒状の本体（１２）を備える留め具であって、留め具の一端を向いて留め具に形成された第一の組の成形フルート（２２）が、一端から留め具に沿う長手方向距離の少なくとも一部に延びており、留め具の長手方向の軸線に平行な線に沿う第一の側と弧状線に沿う第二の側とにおいてネジ山（２０）と交差し、第二の側に沿うネジ山（２０）と交差して、その交差部に切刃（２４）を形成し、切刃（２４）は、留め具が使用される際にネジを切るように機能し、成形フルート（２２）間のネジ山（２０）の半径方向の外側エッジが略一定半径であり且つ、ネジ山内に形成された第二の組のフルート（３０）を有し、このフルート（３０）が、また、ネジ山と交差し、第二の組のフルート（３０）間のネジ山（２０）の半径方向の外側エッジが、さらに略一定の半径を有することを特徴とする留め具。
2008539374.tif 000002
【特許請求の範囲】
【請求項１】
周囲にネジ山（２０）が形成された略筒状の本体（１２）を備える留め具であって、
前記留め具の一端の側に形成された第一の組の成形フルート（２２）が、前記一端から前記留め具に沿う長手方向距離の少なくとも一部に延びており、
前記成形フルート（２２）の各々が、前記留め具の長手方向の軸線に平行な線に沿う第一の側と弧状線に沿う第二の側とにおいて前記ネジ山（２０）と交差し、
前記成形フルート（２２）が、前記第二の側に沿う前記ネジ山（２０）と交差して、その交差部に切刃（２４）を形成し、
該切刃（２４）は、前記留め具が使用される際にネジを切るように機能し、
前記成形フルート（２２）間の前記ネジ山（２０）の半径方向の外側エッジが略一定半径であり且つ、前記ネジ山内に成形された第二の組のフルート（３０）を有し、
該第二の組のフルート（３０）が、さらに、前記ネジ山と交差し、
前記第二の組のフルート（３０）間の前記ネジ山（２０）の半径方向の外側エッジも略一定の半径を有することを特徴とする留め具。
【請求項２】
前記第一の組の成形フルート（２２）の各々が、前記ネジ山（２０）の深さを越えて前記留め具の前記略筒状の本体（１２）内に延びる請求項１に記載の留め具。
【請求項３】
前記第一の組の成形フルート（２２）と前記第二の組のフルート（３０）とが、前記留め具本体（１２）の周囲に交互に配置されている請求項１又は請求項２に記載の留め具。
【請求項４】
前記第一の組のフルート（２２）と前記第二の組のフルート（３０）とが、前記留め具本体周りに等間隔に配置される請求項１から請求項３の何れか一項に記載の留め具。
【請求項５】
前記第二の組のフルート（３０）の各フルートが、前記ネジ山（２０）の深さの半分以下まで延びている請求項１から請求項４の何れか一項に記載の留め具。
【請求項６】
前記第二の組のフルート（３０）の各フルート間の前記ネジ山（２０）の長さが、周囲方向の前記フルートの長さより大きい請求項１から請求項５の何れか一項に記載の留め具。
【請求項７】
前記留め具がワーク内に挿入されるとき、前記留め具の前記ネジ山（２０）が、前記ワーク上に相補的なネジ山を切削し、前記留め具の前記ネジ山（２０）によって切削された相補的なネジ山の深さが、前記第二の組のフルート（３０）の深さよりもより大きい請求項１から請求項６の何れか一項に記載の留め具。
【発明の詳細な説明】
【技術分野】
【０００１】
本発明は改良された留め具に関する、特に、使用に際して、ワークにネジを切るように構成されたネジ留め具又はネジインサートに関する。
【背景技術】
【０００２】
このような留め具は、一般的に雌ネジを備えており、相補的な留め具要素を受容するために、プラスチック製ワークのようなワークにおける穴の中に挿入される。このようなインサートは、ワーク内に直接的に相補的な留め具要素を挿入すると、結果として、引き抜き抵抗が不十分になって、再使用可能なネジとしては弱くなり、ワークが、常に留め具より低い引張り強度となる場合に使用される。
【発明の開示】
【発明が解決しようとする課題】
【０００３】
しかしながら、留め具を受容するための穴の寸法と切削効果を維持するための留め具自体の寸法との許容値を維持する必要があることが理解される。
【課題を解決するための手段】
【０００４】
本発明の利点は、有利な挿入及び引き抜き特性を獲得できることである。本発明の他の利点が、以下で明白となる。
【０００５】
本発明の第一の形態によれば、留め具が、周囲にネジ山が形成された略筒状の本体と、留め具の一端を向いて留め具内に形成された第一の組の成形フルートが、一端から留め具に沿う長手方向距離の少なくとも一部まで延ばされ、成形フルートの各々が、最初、留め具の長手方向の軸線に平行な線に沿う第一の側と弧状線に沿う第二の側とにおいてネジ山で交差し、成形フルートが第二の側に沿うネジ山と交差して、その交差部に形成される切刃とを備え、切刃が留め具を使用する際にネジを切るように機能し、成形フルート間のネジ山の半径方向の外側エッジ（縁端）が略一定の半径を有し且つ第二の組のフルートがネジ山に形成され、第二の組のフルートが、また、ネジ山と交差し、第二の組のフルート間のネジ山の半径方向の外側エッジがさらに略一定の半径を有する。
【０００６】
好ましくは、第一の組の成形フルートの各々が、ネジ山の深さ（ネジ山高さ）を越えて留め具の略筒状の本体内に延びている。
【０００７】
好ましくは、第一の組の成形フルートと第二の組の成形フルートとが、留め具本体の周囲上に交互に配置されている。
【０００８】
好ましくは、第一の組フルートと第二の組のフルートとが、留め具本体周りに等間隔に配置されている。
【０００９】
好ましくは、第二の組のフルートの各フルートが、ネジ山の深さの半分以下まで延びている。
【００１０】
好ましくは、第二の組のフルートの各フルート間のネジ山の長さが、周囲方向のフルートの長さより大きい。
【００１１】
本発明の第二の特徴によれば、本発明の第一の特徴と一致する留め具がワーク内に挿入され、使用されるときに、留め具のネジ山がワーク上に相補的なネジ山を切削し、留め具のネジ山によって切削された相補的なネジ山の深さが、第二の組のフルート深さよりも大きい。
【発明を実施するための最良の形態】
【００１２】
本発明は、添付図面を参照することによって単なる例示として説明される。
【００１３】
図面を参照すると、本発明による留め具１０が示されている。留め具１０は、頭部を有するインサート（挿入体）の形態である。留め具１０は、雌ネジ１４が形成された筒状の本体１２を備える。例示された実施形態では、本体１２は、第一端部にワーク（図示されない）の開口部への位置決め及び挿入を補助するための面取部１６を備える。留め具１０は、本体１２の第二端部に肉厚部分又はフランジの形態である頭部分１８を備える。
【００１４】
ネジ山２０が、本体１２の外面周りに設けられており、本体１２の第一端部と本体１２の第二端部との間で延びている。例示された実施形態では、一条ネジが示されているが、本発明は、多条の留め具と共に使用されることが企図されており、したがって、ネジ山への言及は、このような留め具のための二条以上のネジ山に適用されると理解されるべきである。例示された実施形態では、ネジ山２０が、面取り部１６のテーパーを伴っていることが理解され得る。
【００１５】
また、頭部分１８は、半径方向にのみ延びており、ネジ山２０を超える範囲までは延びていない。頭部分１８は、使用の際、はめ合い部品が着座する座面を留め具に提供する。頭部分１８が、また、留め具がワーク表面のかなり下に取り付けられることを防止するための停止部を提供する（このような不適当な設置は、相補的な留め具要素が留め具１０に締め付けられるときに留め具が押し上げられ得る空隙を残す）。
【００１６】
留め具１０は、任意の適した材料から形成されることができる。適した材料には、黄銅又は鋼が含まれるが、これに制限されるものではない。
【００１７】
第一の組の溝、切り込み又は成形フルート２２が、留め具において、留め具１０の第一端部に形成されており、第一端部から留め具１０に沿って長手方向の距離の少なくとも一部に延びている。例示される実施形態では、成形フルート２２の第一の組は、留め具周りに等間隔に配置された三つのこのような同一の成形フルート２２からなる。成形フルート２２の各々は、最初に留め具の長手方向の軸線に平行な線に沿う第一の側と弧状線に沿う第二の側とにおいてネジ山２０と交差している。成形フルート２２がネジ山と第二の側に沿って交差し、その交差部において切刃２４を形成し、留め具の使用の際に切刃２４がネジを切るように機能する。
【００１８】
第一端部から視たときに、ネジ山２０の半径方向の直径は、始め最小であり、面取り部のためネジ山が第二端部に向かって留め具周りに進展していくにつれ、ネジ山がほぼ一定の半径を有するまで外径が増加する。使用に際して、面取り部の角度が、第一の組の成形フルート２２内の切削くずの分布を決定する。
【００１９】
図３から分かるように、成形フルート２２は、留め具１０の長手方向軸線に対して正接方向に形成される切削平坦面２６として形成される。成形フルート２２は、留め具１０の本体１２の厚み内に延びるが、それらフルート２２は、雌ネジ１４へまでを突き抜けてはいない。これにより、本体１２がつぶれることがないように、使用に際してその強度を維持することを可能にする。
【００２０】
さらに図３を参照することにより、成形フルート２２の切刃２４は、各々、留め具１０の中心線から距離『ｄ』だけオフセットされていることが分かる。このオフセットは、切削工程の際に、生成される削りくずがネジ山２０から離れる方向に導かれることを可能にするのに十分な湾曲をファセット面（小面）上に持った正のすくい角が作られるため、この結果、削りくずが、留め具１０と留め具が挿入されるワークとの間で詰まって動かなくなることがなくなる。
【００２１】
導入部の面取り部以降の最初の完全なネジ山において、２４に正確に示されるように、切削ファセットは、好ましくは長手方向に対して９０度以下の角度のままであり、導入部の面取り部が途切れた後、快削性及び切削くずの剥がれ落ち（折断）が雄ネジの外径で発生することを保証する。
【００２２】
第二の組の刻み目（インデント）、溝又はフルート３０（図３にかくれ線で示されている）が、ネジ山２０に形成されている。第二の組のフルート３０は、留め具１０の第二端部側に設けられ、留め具周りに等間隔に配置される。例示される実施形態において、第二の組のフルート３０は、三つのフルート３０からなり、フルートの各々が、留め具１０の長手方向の軸線と平行に延びている。第二の組のフルート３０の各々は、ネジ山２０と交差し、その交差部において一組の部分切削エッジ／部分形成エッジ３４が規定される。ネジ山２０は、半径方向の内側に部分的に変形される。第二の組のフルート３０の間のネジ山２０の半径方向の外側エッジは、また、略一定半径を維持する。
【００２３】
第二の組のフルート３０を構成する一つのフルートが、図４に断面で示されている。第一の組のフルート２２は、正のすくい角を有するのに対し、第二の組のフルート３０は、負のすくい角を有しており、それらすくい角を正負逆にする主たる目的は、留め具１０の外側ネジ山２０を変形させることである。
【００２４】
例示される実施形態において、第二の組のフルート３０の各々は、ネジ山２０の三回転分を横切って延びている。しかしながら、それら第二の組のフルートは、ネジ山の二回転分以上を横切って延びていればよい。第二の組のフルート３０は、ネジ山２０が第一の組の成形フルート２２を超えて延びる直後から開始され、好ましくは、ネジ山２０が第一の組の成形フルート２２によって交差された後で完全なつる巻き曲線が完成した直後から開始される。
【００２５】
例示された実施形態では、第二の組のフルート３０を構成するフルートの各々は、第一の組の成形フルート２２のうちの隣接する成形フルート２２の中央に角度を付けて配置される。
【００２６】
使用の際に、第二の組のフルート３０は、留め具１０が振動状態に曝されるとき、留め具１０のロック作用を提供する。留め具の外径にある完全なネジ山が、始めにワークの母材に切り込まれる。取り付け工程の後半部分の際に、フルート３０の下側で半径方向に変形されたネジ山４０は、切削ネジ山にロックされる。第二の組のフルート３０は、また、例えばボルトのような相補的な留め具要素が留めていない又は腐食するようになったときワークからの留め具１０が抜け落ちることを防止するための抵抗を提供する。
【図面の簡単な説明】
【００２７】
【図１】本発明による留め具の側面図を示している（その一部が図３の線Ａ−Ａに沿った断面で示されている）。
【図２】図１の線Ｂ−Ｂにおける断面を示している。
【図３】図１に示される留め具の端面図を示している。
【図４】図１の矢印Ｃの方向からの拡大詳細図を示している。
【図１】
2008539374.tif 000003
【図２】
2008539374.tif 000004
【図３】
2008539374.tif 000005
【図４】
2008539374.tif 000006
【国際調査報告】
2008539374.tif 000007
2008539374.tif 000008
2008539374.tif 000009